(57)【要約】【課題】  画像処理装置において、機器の大型化、コストアップ、操作の複雑化等の防止を目的とする。【解決手段】  表示手段はひとつのバックライトの両側にそれぞれ液晶を配置した両面液晶を使用し、両面液晶の一面を接眼レンズを介して見る大きさの小画面とし、もう一面を直接見る大きさの大画面とする構成とした。【選択図】        図１
2006191445.tif 000002
【特許請求の範囲】
【請求項１】
被写体を撮像するカメラ手段を有する筐体と、カメラ手段から取り込まれた画像あるいは記録媒体に記録された画像を表示する表示手段を設けた画像処理装置において、該表示手段は両面にそれぞれ表示部を配置した両面表示を可能とし、該表示部は表裏で異なる画面サイズとし、該表示手段がヒンジユニットを介して回動可能に筐体に取り付けられ、該表示手段の筐体に対する位置により、接眼部を介して小画面側を見る第１のモードと、直接大画面側を見る第２のモードを設けたことを特徴とする画像処理装置。
【請求項２】
該表示手段がヒンジユニットを介して回動可能に筐体の背面に取り付けられ、該表示手段が筐体の背面閉位置にある時は第１のモードとなり、該表示手段が該ヒンジユニットにより回転し開いた位置にある時には第２のモードとなることを特徴とする請求項１記載の画像処理装置。
【請求項３】
該表示手段がヒンジユニットを介して回動可能に筐体の背面に取り付けられ、該表示手段が筐体の背面閉位置にある時は第２のモードとなり、該表示手段が該ヒンジユニットにより回転し開いた位置にある時には第１のモードとなることを特徴とする請求項１記載の画像処理装置。
【請求項４】
該表示手段がヒンジユニットを介して回動可能に筐体の背面側に取り付けられ、該表示手段が該ヒンジユニットにより回転し開いた位置にあるときに、第１のモード、第２のモード、あるいは第１と第２の両方を表示するモードのいずれかを選択できることを特徴とする請求項３記載の画像処理装置。
【請求項５】
該表示手段がヒンジユニットを介して筐体の側面側に取り付けられ、該表示手段が筐体の側面閉位置にある時は、小画面側表示手段の画像を表示面と略垂直に配置された接眼部を介して見る第１のモードとなり、該表示手段が該ヒンジユニットにより回転し開いた位置にあるときには、直接表示手段の大画面側を見る第２のモードとなり、第１のモードと第２のモードで見る方向が略直交することを特徴とする請求項１記載の画像処理装置。
【請求項６】
前記第１のモードと第２のモードはそれぞれ、ＣＶＦモードとモニタモードであることを特徴とする請求項１ないし５いずれか記載の画像処理装置。
【発明の詳細な説明】
【技術分野】
【０００１】
本発明は画像情報を撮影、表示可能な画像処理装置に関する。
【背景技術】
【０００２】
従来の画像処理装置において、接眼レンズを介して見る大きさの小画面を見るＣＶＦユニットと、直接見る大きさの大画面を見るＬＣＤユニットを、それぞれ独立して配置した画像処理装置はある。
【特許文献１】特開平８−２０５００号公報
【発明の開示】
【発明が解決しようとする課題】
【０００３】
しかしながら従来の画像処理装置では、接眼レンズを介して見る大きさの小画面を見るＣＶＦユニットと、直接見る大きさの大画面を見るＬＣＤユニットがそれぞれ独立して配置されるため、それぞれに専用のバックライトや液晶の保持構造、ヒンジユニット等を必要とし、構造が複雑になり、コストがかかっていた。小画面のＣＶＦユニットと大画面を見るＬＣＤユニットを並べて配置するため、画像処理装置本体の投影面積を大きくするか、大画面を見るＬＣＤユニットのサイズを小さくする必要があった。またＣＶＦユニットとＬＣＤユニットそれぞれを収納状態、使用状態にセットする必要があり、操作に手間がかかっていた。
【０００４】
本発明は、以上の点に着目して成されたもので、機器の大型化、コストアップ、操作の複雑化等の防止をする画像処理装置を提供することを目的とする。
【課題を解決するための手段】
【０００５】
本発明では、表示手段を両面にそれぞれ表示部を配置した両面表示装置とし、両面液晶の一面を接眼レンズを介して見る大きさの小画面とし、もう一面を直接見る大きさの大画面とすることにより、ＣＶＦユニットとＬＣＤユニットをひとかたまりのユニットにし、ヒンジユニットを介して筐体に取り付け、該表示手段の位置により、接眼レンズを介して見る大きさの小画面側を見るＣＶＦモードと、直接見る大きさの大画面側を見るＬＣＤモードを設ける構造とした。これによりバックライトや液晶の保持構造、ヒンジユニット等を共通化でき部品点数が減りコストがかからない。小画面のＣＶＦユニットと大画面を見るＬＣＤユニットを重ねて配置するため、画像処理装置本体の投影面積を小さくすることが出来、または大画面を見るＬＣＤユニットのサイズを大きくすることが出来る。またＣＶＦモードとＬＣＤモードの切換えは、該表示手段の位置をＣＶＦモードとＬＣＤモードそれぞれの使用状態位置にセットするだけのため操作が簡単になる。
【０００６】
すなわち、本発明の技術内容は以下の構成を備えることにより前記課題を解決できた。
【０００７】
（１）被写体を撮像するカメラ手段を有する筐体と、カメラ手段から取り込まれた画像あるいは記録媒体に記録された画像を表示する表示手段を設けた画像処理装置において、該表示手段は両面にそれぞれ表示部を配置した両面表示を可能とし、該表示部は表裏で異なる画面サイズとし、該表示手段がヒンジユニットを介して回動可能に筐体に取り付けられ、該表示手段の筐体に対する位置により、接眼部を介して小画面側を見る第１のモードと、直接大画面側を見る第２のモードを設けたことを特徴とする画像処理装置。
【０００８】
（２）該表示手段がヒンジユニットを介して回動可能に筐体の背面に取り付けられ、該表示手段が筐体の背面閉位置にある時は第１のモードとなり、該表示手段が該ヒンジユニットにより回転し開いた位置にある時には第２のモードとなることを特徴とする前記（１）記載の画像処理装置。
【０００９】
（３）該表示手段がヒンジユニットを介して回動可能に筐体の背面に取り付けられ、該表示手段が筐体の背面閉位置にある時は第２のモードとなり、該表示手段が該ヒンジユニットにより回転し開いた位置にある時には第１のモードとなることを特徴とする前記（１）記載の画像処理装置。
【００１０】
（４）該表示手段がヒンジユニットを介して回動可能に筐体の背面側に取り付けられ、該表示手段が該ヒンジユニットにより回転し開いた位置にあるときに、第１のモード、第２のモード、あるいは第１と第２の両方を表示するモードのいずれかを選択できることを特徴とする前記（３）記載の画像処理装置。
【００１１】
（５）該表示手段がヒンジユニットを介して筐体の側面側に取り付けられ、該表示手段が筐体の側面閉位置にある時は、小画面側表示手段の画像を表示面と略垂直に配置された接眼部を介して見る第１のモードとなり、該表示手段が該ヒンジユニットにより回転し開いた位置にあるときには、直接表示手段の大画面側を見る第２のモードとなり、第１のモードと第２のモードで見る方向が略直交することを特徴とする前記（１）記載の画像処理装置。
【００１２】
（６）前記第１のモードと第２のモードはそれぞれ、ＣＶＦモードとモニタモードであることを特徴とする前記（１）ないし（５）いずれか記載の画像処理装置。
【発明の効果】
【００１３】
本発明では、表示手段をひとつのバックライトの両側にそれぞれ液晶を配置した両面液晶とし、両面液晶の一面を接眼レンズを介して見る大きさの小画面とし、もう一面を直接見る大きさの大画面とすることにより、ＣＶＦユニットとＬＣＤユニットをひとかたまりのユニットにし、ヒンジユニットを介して筐体に取り付け、該表示手段の位置により、接眼レンズを介して見る大きさの小画面側を見るＣＶＦモードと、直接見る大きさの大画面側を見るＬＣＤモードを設けたことにより、バックライトや液晶の保持構造、ヒンジユニット等を共通化でき部品点数が減りコストがかからない。小画面のＣＶＦユニットと大画面を見るＬＣＤユニットを重ねて配置するため、画像処理装置本体の投影面積を小さくすることが出来、または大画面を見るＬＣＤユニットのサイズを大きくすることが出来る。ＣＶＦモードとＬＣＤモードの切換えは、該表示手段の位置をＣＶＦモードとＬＣＤモードそれぞれの使用状態位置にセットするだけのため操作が簡単になる。
【発明を実施するための最良の形態】
【００１４】
以下添付図面に従って本発明による画像処理装置の実施の形態について説明する。
【実施例】
【００１５】
図１は本発明の一実施の形態に関する画像処理装置のブロック図である。図において、１は画像処理装置本体、２は画像処理装置１の電源をＯＮ／ＯＦＦするＰＯＷＥＲ  ＳＷ、３は画像処理装置１を操作する操作ＳＷ、４は画像処理装置１を制御する制御部、５は被写体を撮像するカメラ手段、６は撮像された画像を記録する画像記録部、７は撮像された画像あるいは記録された画像を表示する表示装置、８は表示装置７がＣＶＦモード用の位置にある時に表示する小画面液晶、９は小画面液晶８を拡大して見るための接眼レンズ、１０は表示装置７がＬＣＤモード用の位置にある時に表示する大画面液晶、１１は小画面液晶８と大画面液晶１０の両方を照射できるバックライトユニット、１２は表示装置７の位置をＣＶＦモード用の位置とＬＣＤモード用の位置に移動させるためのヒンジユニット、１３は表示装置７の位置がＣＶＦモード用の位置かＬＣＤモード用の位置かを検出する検出ＳＷ、１４は検出ＳＷ１３からの情報により表示装置７の位置がＣＶＦモード用の位置の場合は小画面液晶８を表示させ、ＬＣＤモード用の位置の場合は大画面液晶１０を表示させるＬＣＤ制御部、１５はＬＣＤ制御部１４が搭載され画像処理装置本体１と接続されるＬＣＤ基板部である。
【００１６】
図２は本発明の一実施の形態に関し、表示装置がＣＶＦモード用の位置にある時の画像処理装置の斜視図であり、図３は表示装置がＬＣＤモード用の位置にある時の画像処理装置の斜視図である。図２、図３において１は画像処理装置本体、２は画像処理装置１の電源をＯＮ／ＯＦＦするＰＯＷＥＲ  ＳＷ、３は画像処理装置１を操作する操作ＳＷ、４は画像処理装置１を制御する制御部、５は被写体を撮像するカメラ手段、７は撮像された画像あるいは記録された画像を表示する表示装置、８は表示装置７がＣＶＦモード用の位置にある時に前述の接眼レンズ９を介して見た小画面液晶、１０は表示装置７がＬＣＤモード用の位置にある時に表示する大画面液晶、１２は表示装置７の位置をＣＶＦモード用の位置とＬＣＤモード用の位置に移動させるためのヒンジユニットである。
【００１７】
図において、画像記録部、バックライトユニット、検出ＳＷ、ＬＣＤ制御部、ＬＣＤ基板部は省略している。
【００１８】
図４は図１から図３において説明した本発明の一実施の形態に関する画像処理装置の表示手段内部の部品配置を示す図であり、ＣＶＦモード時の表示状態である。図において、８は表示装置７がＣＶＦモード用の位置にある時に表示する小画面液晶、９は小画面液晶８を拡大して見るための接眼レンズ、１０は表示装置７がＬＣＤモード用の位置にある時に表示する大画面液晶、１１は小画面液晶８と大画面液晶１０の両方を照射できるバックライトユニット、１４は検出ＳＷ１３からの情報により表示装置７の位置がＣＶＦモード用の位置の場合は小画面液晶８を表示させ、ＬＣＤモード用の位置の場合は大画面液晶１０を表示させるＬＣＤ制御部、１５はＬＣＤ制御部１４が搭載され画像処理装置本体１と接続されるＬＣＤ基板部である。
【００１９】
図５はＬＣＤモード時の表示状態であり、図４を図中矢印Ａ方向より見た図である。
【００２０】
図６は図１から図５において説明した本発明による画像処理装置の基本的な動作を示すフローチャートである。画像処理装置本体１の電源がＰＯＷＥＲ  ＳＷ２によりＯＮにされると、ＬＣＤ制御部１４はバックライト１１をＯＮする。検出ＳＷ１３により表示装置７の位置がＣＶＦ側であることを検知されている場合は小画面液晶８を表示し、検出ＳＷ１３により表示装置７の位置がＬＣＤ側であることを検知されている場合は大画面液晶１０を表示する。
【００２１】
図７は本発明における第２の実施の形態に関し、表示装置がＣＶＦモード用の位置にある時の画像処理装置の斜視図であり、図８は表示装置がＬＣＤモード用の位置にある時の画像処理装置の斜視図である。第１の実施例とは画像処理装置本体に表示装置を取り付けるひんじの位置が異なり、表示手段をＬＣＤモードにした時の画像処理装置本体に対する表示装置の位置が異なる。符号については図２、図３と同じであり説明を省略する。
【００２２】
ブロック図、表示手段内部の部品配置を示す図、基本的な動作を示すフローチャートはそれぞれ図１、図４、図６と同じであり、説明を省略する。
【００２３】
図９は本発明における第３の実施の形態に関し、表示装置がＬＣＤモード用の位置にある時の画像処理装置の斜視図であり、図１０は表示装置がＣＶＦモード用の位置にある時の画像処理装置の斜視図である。符号については図２、図３と同じであり説明を省略する。
【００２４】
図１１は図９、１０において説明した本発明における第３の実施の形態よる画像処理装置の基本的な動作を示すフローチャートである。画像処理装置本体１の電源がＰＯＷＥＲ  ＳＷ２によりＯＮにされると、ＬＣＤ制御部１４はバックライト１１をＯＮする。検出ＳＷ１３により表示装置７の位置がＣＶＦ側であることを検知され、モード設定がＣＶＦ側の場合は小画面液晶８を表示し、モード設定が対面撮影側の場合は大画面液晶１０表示し、モード設定が両モードの場合は小画面液晶８、大画面液晶１０の両方を表示する。検出ＳＷ１３により表示装置７の位置がＬＣＤ側であることを検知されている場合は大画面液晶１０を表示する。ここでモード設定は操作ＳＷ３による操作や記載していないメニューによる選択等で可能である。
【００２５】
ブロック図、表示手段内部の部品配置を示す図はそれぞれ図１、図４と同じであり、説明を省略する。
【００２６】
図１２は本発明における第４の実施の形態に関し、表示装置がＣＶＦモード用の位置にある時の画像処理装置の斜視図であり、図１３は表示装置がＬＣＤモード用の位置にある時の画像処理装置の斜視図である。符号については図２、図３と同じであり説明を省略する。
【００２７】
図１４は図１１において説明した本発明の第４の実施の形態に関する画像処理装置の表示手段内部の部品配置を示す図であり、ＣＶＦモード時の表示状態である。図において、８は表示装置７がＣＶＦモード用の位置にある時に表示する小画面液晶、９は小画面液晶８を拡大して見るための接眼レンズ、１０は表示装置７がＬＣＤモード用の位置にある時に表示する大画面液晶、１１は小画面液晶８と大画面液晶１０の両方を照射できるバックライトユニット、１４は検出ＳＷ１３からの情報により表示装置７の位置がＣＶＦモード用の位置の場合は小画面液晶８を表示させ、表示装置７の位置がＬＣＤモード用の位置の場合は大画面液晶１０を表示させるＬＣＤ制御部、１５はＬＣＤ制御部１４が搭載され画像処理装置本体１と接続されるＬＣＤ基板部、１６は小画面液晶８に表示された画像を小画面液晶８と略垂直に配置された接眼レンズ９を通して見るために光路を略９０度曲げるミラーである。ミラーの変わりにプリズム等を用いても可能である。
【００２８】
図１５はＬＣＤモード時の表示状態であり、図１４を図中矢印Ｂ方向より見た図である。
【００２９】
ブロック図、基本的な動作を示すフローチャートはそれぞれ図１、図６と同じであり、説明を省略する。
【００３０】
実施例では表示装置として液晶を用いたが、本発明においてはＥ．Ｌ．表示装置など液晶以外の表示装置においても可能である。
【００３１】
図１６は従来例における表示装置がＣＶＦモード用の位置にある時の画像処理装置の斜視図である。符号については図２図３と同じであり説明を省略する。
【００３２】
小画面のＣＶＦユニットと大画面を見るＬＣＤユニットを並べて配置するため、画像処理装置本体の投影面積が大きくなっている。また投影面積を大きくしない場合には、大画面を見るＬＣＤユニットのサイズを小さくする必要がある。
【００３３】
図１７は従来例における表示装置がＬＣＤモード用の位置にある時の画像処理装置の斜視図である。符号については図２、図３と同じであり説明を省略する。
【図面の簡単な説明】
【００３４】
【図１】本発明の一実施の形態に関する画像処理装置のブロック図
【図２】本発明の一実施の形態に関し、表示装置がＣＶＦモード用の位置にある時の画像処理装置の斜視図
【図３】本発明の一実施の形態に関し、表示装置がＬＣＤモード用の位置にある時の画像処理装置の斜視図
【図４】本発明の一実施の形態に関する画像処理装置の表示手段内部の部品配置を示しＣＶＦモード時の表示状態
【図５】本発明の一実施の形態に関する画像処理装置の表示手段内部の部品配置を示しＬＣＤモード時の表示状態
【図６】本発明による画像処理装置の基本的な動作を示すフローチャート
【図７】本発明の第２の実施の形態に関し、表示装置がＣＶＦモード用の位置にある時の画像処理装置の斜視図
【図８】本発明の第２の実施の形態に関し、表示装置がＬＣＤモード用の位置にある時の画像処理装置の斜視図
【図９】本発明の第３の実施の形態に関し、表示装置がＬＣＤモード用の位置にある時の画像処理装置の斜視図
【図１０】本発明の第３の実施の形態に関し、表示装置がＣＶＦモード用の位置にある時の画像処理装置の斜視図
【図１１】本発明の第３の実施の形態による基本的な動作を示すフローチャート
【図１２】本発明の第４の実施の形態に関し、表示装置がＣＶＦモード用の位置にある時の画像処理装置の斜視図
【図１３】本発明の第４の実施の形態に関し、表示装置がＬＣＤモード用の位置にある時の画像処理装置の斜視図
【図１４】本発明の第４の実施の形態に関する画像処理装置の表示手段内部の部品配置を示しＣＶＦモード時の表示状態
【図１５】本発明の第４の実施の形態に関する画像処理装置の表示手段内部の部品配置を示しＬＣＤモード時の表示状態
【図１６】従来例の形態に関し、表示装置がＣＶＦモード用の位置にある時の画像処理装置の斜視図
【図１７】従来例の形態に関し、表示装置がＬＣＤモード用の位置にある時の画像処理装置の斜視図
【符号の説明】
【００３５】
１  画像処理装置本体
２  画像処理装置１の電源をＯＮ／ＯＦＦするＰＯＷＥＲ  ＳＷ
３  画像処理装置１を操作する操作ＳＷ
４  画像処理装置１を制御する制御部
５  被写体を撮像するカメラ手段
６  撮像された画像を記録する画像記録部
７  撮像された画像あるいは記録された画像を表示する表示装置（表示手段）
８  表示装置７がＣＶＦモード用の位置にある時に表示する小画面液晶
９  小画面液晶８を拡大して見るための接眼レンズ
１０  表示装置７がＬＣＤモード用の位置にある時に表示する大画面液晶
１１  小画面液晶８と大画面液晶１０の両方を照射できるバックライトユニット
１２  表示装置７の位置をＣＶＦモード用の位置とＬＣＤモード用の位置に移動させるためのヒンジユニット
１３  表示装置７の位置がＣＶＦモード用の位置かＬＣＤモード用の位置かを検出する検出ＳＷ（位置検出ＳＷ）
１４  表示装置７の位置がＣＶＦモード用の位置の場合は小画面液晶８を表示させ、ＬＣＤモード用の位置の場合は大画面液晶１０を表示させるＬＣＤ制御部
１５  ＬＣＤ制御部１４が搭載され画像処理装置本体１と接続されるＬＣＤ基板部
１６  小画面液晶８に表示された画像を小画面液晶８と垂直に配置された接眼レンズ９を通して見るために光路を略９０度曲げるミラー
【図１】
2006191445.tif 000003
【図２】
2006191445.tif 000004
【図５】
2006191445.tif 000005
【図６】
2006191445.tif 000006
【図７】
2006191445.tif 000007
【図８】
2006191445.tif 000008
【図９】
2006191445.tif 000009
【図１０】
2006191445.tif 000010
【図１１】
2006191445.tif 000011
【図１２】
2006191445.tif 000012
【図１３】
2006191445.tif 000013
【図１５】
2006191445.tif 000014
【図１６】
2006191445.tif 000015
【図１７】
2006191445.tif 000016
【図３】
2006191445.tif 000017
【図４】
2006191445.tif 000018
【図１４】
2006191445.tif 000019